(57)【要約】【課題】マスクを使用するユーザに対して経済的負担を軽減するとともに、イオンをユーザの面前に確実に供給できるイオン発生装置を提供することを目的とする。【解決手段】ユーザの顔面に配されるマスク状部材１００により覆われる筐体２を有し、筺体２はイオンを発生するイオン発生素子１７を備え、筐体２に設けた吐出口１９、２０を介してイオンを放出するイオン発生装置１において、筺体２は吐出口１９、２０の周囲から突出する突出部２２を備える。【選択図】図１
2015035341.tif 000002
【特許請求の範囲】
【請求項１】
ユーザの顔面に配されるマスク状部材により覆われる筐体を有し、前記筺体はイオンを発生するイオン発生素子を備え、前記筐体に設けた吐出口を介してイオンを放出するイオン発生装置において、
前記筺体は前記吐出口の周囲から突出する突出部を備えることを特徴とするイオン発生装置。
【請求項２】
前記突出部の先端部を曲面に形成したことを特徴とする請求項１に記載のイオン発生装置。
【請求項３】
前記吐出口が前記筐体の前面に隣接した周面に形成され、前記突出部が前記筐体の前面に沿って配されることを特徴とする請求項１又は２に記載のイオン発生装置。
【請求項４】
前記筐体がユーザの鼻に対して一側方に配してイオン発生素子を収納する素子収納部材と、他側方に配してバッテリを収納するバッテリ収納部材とを連結して形成され、
前記筐体をマスク状部材に装着する装着部を前記筐体の前面に設けたことを特徴とする請求項１〜３のいずれかに記載のイオン発生装置。
【請求項５】
前記筐体から延出されるとともにユーザの耳に掛けて前記筐体を顔面に装着する装着部を設けたことを特徴とする請求項１〜３のいずれかに記載のイオン発生装置。
【発明の詳細な説明】
【技術分野】
【０００１】
本発明は、マスク状部材等によって覆われるイオン発生装置に関する。
【背景技術】
【０００２】
特許文献１にはイオン発生装置が取り付けられるマスクが開示される。このマスクは通気孔を有する受け部の両面にそれぞれ第１カバー及び第２カバーが開閉可能に枢支される。第１カバー及び受け部には布等により形成されたマスク体が取り付けられる。第１カバーを閉じるとマスク体が畳んで収納され、第１カバーを開くとマスク体が展開される。
【０００３】
第２カバーの内面にはイオン発生装置を取り付ける装具が設けられる。イオン発生装置は装具により受け部に面して取り付けられ、マイナスイオンを発生する。
【０００４】
上記構成のマスクにおいて、ユーザは第１カバー及び第２カバーを開き、マスク体により口や鼻を覆ってマスクを装着する。これにより、マスク体及び通気孔を介して呼吸を行い、マスク体によってユーザの口や鼻からのウィルス、花粉、塵埃等の侵入が防止される。また、イオン発生装置で発生したマイナスイオンは通気孔及びマスク体を介してマスク体の内部に拡散し、ユーザの面前に供給される。これにより、長期のマスク装着によるユーザの不快感を低減することができる。
【先行技術文献】
【特許文献】
【０００５】
【特許文献１】特開２００５−６１３号公報
【発明の概要】
【発明が解決しようとする課題】
【０００６】
しかしながら、上記のイオン発生装置は第２カバーに設けられた装具により取り付けられるため、マスクの構造が複雑になる。このため、マスクが高価になり、マスク体の損傷等によってマスクを交換するユーザの経済的な負担が大きくなる問題があった。
【０００７】
また、イオン発生装置で発生したイオンが開かれた第２カバーと受け部との間から流出するとともに、イオンの一部がマスク体で遮蔽される。このため、ユーザの面前に供給されるイオンが減少する問題もあった。
【０００８】
本発明は、マスクを使用するユーザに対して経済的負担を軽減するとともに、イオンをユーザの面前に確実に供給できるイオン発生装置を提供することを目的とする。
【課題を解決するための手段】
【０００９】
上記目的を達成するために本発明のイオン発生装置は、ユーザの顔面に配されるマスク状部材により覆われる筐体を有し、前記筺体はイオンを発生するイオン発生素子を備え、前記筐体に設けた吐出口を介してイオンを放出するイオン発生装置において、前記筺体は前記吐出口の周囲から突出する突出部を備えることを特徴とする。
【００１０】
また本発明は、上記構成のイオン発生装置において、前記突出部の先端部を曲面に形成したことを特徴とする。
【００１１】
また本発明は、上記構成のイオン発生装置において、前記吐出口が前記筐体の前面に隣接した周面に形成され、前記突出部が前記筐体の前面に沿って配されることを特徴とする。
【００１２】
また本発明は、前記筐体がユーザの鼻に対して一側方に配してイオン素子を収納する素子収納部材と、他側方に配してバッテリを収納するバッテリ収納部材とを連結して形成され、
前記筐体をマスク状部材に装着する装着部を前記筐体に設けたことを特徴とする。
【００１３】
また本発明は、上記構成のイオン発生装置において、前記筐体から延出されるとともにユーザの耳に掛けて前記筐体を顔面に装着する装着部を設けたことを特徴とする。
【００１４】
また本発明は、上記構成のイオン発生装置において、前記バッテリ収納部材内に充填した樹脂により前記バッテリが埋設されることを特徴とする。
【００１５】
また本発明は、上記構成のイオン発生装置において、ユーザ側から右側の前記筐体の前面にスライド式の電源スイッチを設けたことを特徴とする。
【００１６】
また本発明は、上記構成のイオン発生装置において、前記筐体の外面には軟質部材から成るカバー部材が設けられていることを特徴とする。
【００１７】
また本発明は、上記構成のイオン発生装置において、前記イオン発生素子の駆動時に所定の操作により所定時間点灯した後に消灯する発光部を備えたことを特徴とする。
【発明の効果】
【００１８】
本発明によると、ユーザの顔面に装着されるマスクにより覆われる筺体は吐出口の周囲から突出する突出部を備える。このため、使い捨てマスク等の市販の安価なマスクイオン発生装置を装着してマスク内にイオンを放出することができる。このため、使用により劣化したマスクを交換でき、ユーザの経済的な負担を軽減してマスク内の殺菌や消臭を行うことができる。
【００１９】
また、突出部によりマスクが吐出口全体を覆うことを防止し、イオンをユーザの面前に確実に供給することができる。従って、イオンによる殺菌効果や消臭効果の低下を防止することができる。
【図面の簡単な説明】
【００２０】
【図１】本発明の第１実施形態のイオン発生装置を示す斜視図
【図２】本発明の第１実施形態のイオン発生装置を装着した状態を示す図
【図３】本発明の第１実施形態のイオン発生装置を示す上面図
【図４】本発明の第１実施形態のイオン発生装置を示す正面図
【図５】本発明の第１実施形態のイオン発生装置を示す右側面図
【図６】本発明の第１実施形態のイオン発生装置を示す底面図
【図７】図４のＣ−Ｃ断面図
【図８】図３のＢ−Ｂ断面図
【図９】図３のＡ−Ａ断面図
【図１０】本発明の第２実施形態の正面図
【図１１】本発明の第２実施形態の縦断面図
【図１２】本発明の第３実施形態のイオン発生装置を示す左側面図
【図１３】本発明の第３実施形態のイオン発生装置を装着した状態を示す図
【図１４】本発明の第３実施形態のイオン発生装置を示す正面図
【図１５】本発明の第３実施形態のイオン発生装置を示す右側面図
【図１６】図１５のＦ−Ｆ断面図
【発明を実施するための形態】
【００２１】
以下に本発明の実施形態を図面を参照して説明する。図１は第１実施形態のイオン発生装置１の斜視図を示している。また、図２はイオン発生装置１の装着状態を示している。
【００２２】
イオン発生装置１は筐体２の前面２ａの上部に弾性を有したクリップ形状の装着部１０が設けられている。ユーザの両耳に耳掛け部１００ａを掛けて顔面に装着されるマスク１００の上端に装着部１０が挟まれ、イオン発生装置１がマスク１００に取り付けられている。これにより、イオン発生装置１は前面をマスク１００に覆われ、マスク１００と顔面との間の空間内に配置されている。
【００２３】
装着部１０はマグネットを用いてマスク１００の上端を挟んでもよい。また、装着部１０をピン形状やホック形状に形成してマスク１００の上部を貫通してイオン発生装置１に取り付けてもよい。尚、マスク１００はプリーツ状に折り曲げられた形状であってもよい。
【００２４】
図３〜図６はイオン発生装置１の上面図、正面図、右側面図及び底面図を示している。筐体２は軟質部材から成るカバー部材５０と、カバー部材５０により覆われて一部を露出した硬質部材から成るバッテリ収納部材３０、素子収納部材４０とによって形成される。
【００２５】
カバー部材５０を形成する軟質部材として、シリコーン、エラストマ等の軟質樹脂や、スポンジ状の樹脂等を用いることができる。バッテリ収納部材３０、素子収納部材４０を形成する硬質材料として、ポリプロピレン等の硬質樹脂を用いることができる。
【００２６】
バッテリ収納部材３０、素子収納部材４０は可撓性を有するカバー部材５０の下面に開口した開口部５１ａ、５２ａを介して圧入される。これにより、カバー部材５０に設けた収納部５１、５２内にバッテリ収納部材３０、素子収納部材４０が収納され、開口部５１ａ、５２ａからバッテリ収納部材３０、素子収納部材４０が露出する。
【００２７】
筐体２の前面２ａ及び背面２ｂは前方に突出するように湾曲し、背面２ｂの中央部にはユーザの鼻に当接する凹部２ｃが設けられる。カバー部材５０が可撓性を有するため、凹部２ｃをユーザの鼻に沿った形状に変形させることができるともに、ユーザへの当接の負担を軽減する。
【００２８】
さらに、ユーザの顔面とカバー部材５０とを略密着させ、筐体２とユーザとの隙間を無くすことができる。なお、カバー部材５０はゴーグルのようにひだ構造を有して ユーザの顔面とカバー部材５０とを略密着させてもよい。
【００２９】
図７、図８は図４のＣ−Ｃ断面図、図３のＢ−Ｂ断面図を示している。
【００３０】
カバー部材５０の中央部には収納部５１、５２を連通する連通部５３が設けられている。連通部５３にはケーブル２４が設けられており、ケーブル２４の一方は後述する駆動回路ユニット１３と接続し、他方はイオンを発生するイオン発生素子１７と接続する。
【００３１】
連通部５３の前方には屈曲部２５が形成されている。屈曲部２５は可撓性を有するため、ユーザの鼻に沿った形状に変形させることができる。また屈曲部２５はヒンジ部材を用いて形成してもよい。
【００３２】
バッテリ収納部材３０は表面ケース３０ａ及び裏面ケース３０ｂからなる。表面ケース３０ａの前面には装着部１０が設けられ、カバー部材５０の前面２ａ上部に開口した穴部５０ａを介して装着部１０が前面２ａから露出している。
【００３３】
表面ケース３０ａと裏面ケース３０ｂとは係合してバッテリ収納部材３０の内部にバッテリ１４、駆動回路ユニット１３を収納する。バッテリ１４は充電可能なリチウムイオン電池などからなり、イオン発生装置１の各部に電源を供給する。また、バッテリ収納部材３０内にはウレタン等の樹脂２６が充填され、これによりバッテリ１４が樹脂２６に埋設されている。
【００３４】
駆動回路ユニット１３はイオン発生装置１の各部を駆動し、バッテリ１４、充電部５、スイッチ８、９、ＬＥＤ６及びイオン発生素子１７に接続されている。
【００３５】
充電部５は筐体２の底面２ｄに配され、挿入口５ａ（図６参照）を有している。充電部５には挿入口５ａを介してＵＳＢ端子やＡＣプラグ（いずれも不図示）が接続され、バッテリ１４の充電に必要な電源が供給される。
【００３６】
スイッチ８は筐体２の前面２ａのユーザ側から見て右側（図１参照）に設けられている。スイッチ８はスライド式に形成され、イオン発生装置１の電源のＯＮ、ＯＦＦを切り替える。
【００３７】
スイッチ９は筐体２の前面２ａのユーザ側から見て左側（図１参照）に設けられている。スイッチ９はプッシュ式により形成され、スイッチ９の操作により後述するＬＥＤ（発光部）６を点灯してイオン発生装置１の駆動状況を確認できる。
【００３８】
スイッチは１つのみ設けてあって、イオン発生装置１の電源ＯＮ、ＯＦＦを切り替える機能と駆動状況を確認するためのＬＥＤ６を点灯させる機能とを兼ね備える構成であってもよい。プッシュスイッチで構成される場合はスイッチを長押しする場合と、短時間押す場合とで動作を切り分けることができる。スライドスイッチで構成される場合はスライド距離によって動作を切り分けることができる。また、プッシュスイッチとスライドスイッチとを組み合わせた１つのスイッチで構成される場合は、スイッチを押した場合とスライドさせた場合とでそれぞれの動作を切り分けることができる。
【００３９】
ＬＥＤ６はユーザ側から見て左側の装着部１０の近傍（図１参照）に設けられている。ＬＥＤ６はスイッチ８の操作によってイオン発生装置１の駆動を開始した状態で消灯状態を維持する。そして、スイッチ９を押下すると、ＬＥＤ６が数秒間点灯する。これにより、ユーザはイオン発生装置１の駆動状態を認識することができる。また、通常使用時にＬＥＤ６が消灯されているため、ＬＥＤ６の光がユーザの目に届くことにより煩わしさを回避することができる。
【００４０】
また、充電部５からイオン発生装置１に電源が供給されていると、ＬＥＤ６は点灯する。これにより、イオン発生装置１が正しく充電されていることを確認できる。充電部５からイオン発生装置１に電源が供給され、満充電時にはＬＥＤ６は消灯する。また、イオン発生素子１７の交換が必要な場合等、異常状態ではＬＥＤ６は通常と異なる警告色で常時点灯する。
【００４１】
図９は図３のＡ−Ａ断面図を示している。素子収納部材４０は表面ケース４０ａ及び裏面ケース４０ｂからなる。表面ケース４０ａと裏面ケース４０ｂとは係合して、素子収納部材４０の内部にイオン発生素子１７を収納する。表面ケース４０ａの前面には装着部１０が設けられ、カバー部材５０の前面２ａ上部に開口した穴部５０ｂ（図１参照）を介して装着部１０が前面２ａに露出している。
【００４２】
吐出口１９、２０は筐体２の前面２ａに隣接した周面にそれぞれ矩形状に形成されている。これにより、裏面ケース４０ｂの下面には吐出口１９、２０（図６参照）が開口部５２ａに対向して設けられている。
【００４３】
イオン発生素子１７には後方に向って針状に形成された一対の放電電極１７ａ、１７ｂが設けられている。これにより、放電電極１７ａ、１７ｂが吐出口１９、２０に臨んで配されている。
【００４４】
放電電極１７ａ（放電電極１７ｂも同様）の上方には案内部２３が設けられている。案内部２３は裏面ケース４０ｂにより上に凸の曲面に形成され、放電電極１７ａで発生するイオンを吐出口１９へ容易に導くことができる。
【００４５】
放電電極１７ａには正電圧が印加され、コロナ放電により空気中の水分子が電離して生成される水素イオンが空気中の水分と結合して主としてＨ+（Ｈ2Ｏ）ｍから成るプラスイオンを発生する。放電電極１７ｂには負電圧が印加され、コロナ放電により空気中の酸素分子または水分子が電離して生成される酸素イオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００４６】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ'、ｎ'は任意の自然数である。
【００４７】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ'＋Ｏ2-(Ｈ2Ｏ)ｎ＋Ｏ2-(Ｈ2Ｏ)ｎ'
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ'＋Ｏ2-(Ｈ2Ｏ)ｎ＋Ｏ2-(Ｈ2Ｏ)ｎ'
→ Ｈ2Ｏ2＋Ｏ2＋(ｍ＋ｍ'＋ｎ＋ｎ')Ｈ2Ｏ ・・・（３）
【００４８】
吐出口１９と吐出口２０との間には仕切部２１（図６参照）が設けられている。仕切部２１により、吐出口１９、２０から放出されるプラスイオンとマイナスイオンとの衝突による消滅を低減することができる。
【００４９】
カバー部材５０の開口部５２ａの周囲は素子収納部材４０及びバッテリ収納部材３０の下面に対して下方に突出し、両側方が開放されている。これにより、吐出口１９、２０の周囲から突出して吐出口１９、２０の周方向の一部を開放した突出部２２がカバー部材５０によって形成される。突出部２２は吐出口１９、２０から距離ｄだけ下方に突出し、筐体２の前面２ａに沿って左右方向に延びて設けられている。
【００５０】
突出部２２の先端部２２ａは前面２ａ側を曲面に形成されている。また、先端部２２ａの側面や後面側も曲面に形成してもよい。なお、吐出口２０の周面に配される突出部２２も同様に形成されている。
【００５１】
上記構成のイオン発生装置１において、ユーザは装着部１０を用いてマスク１００の上端にイオン発生装置１を固定する（図２参照）。マスク１００は端部に設けられる耳掛け部１００ａによってユーザの顔面に装着される。尚、マスク１００は一般で市販されている安価な使い捨てのマスク１００でよい。
【００５２】
ユーザがスイッチ８を操作してイオン発生装置１が駆動されると、放電電極１７ａ、１７ｂにより生成されるプラスイオン及びマイナスイオンが吐出口１９、２０を介して下方に放出される。これにより、マスク１００内にプラスイオン及びマイナスイオンが拡散して除菌や臭いの除去を行うことができる。
【００５３】
この時、吐出口１９、２０の周囲には突出部２２が突出するため、マスク１００による吐出口１９、２０の閉塞を防止することができる。これにより、イオンをユーザの面前に確実に供給することができる。
【００５４】
突出部２２は吐出口１９、２０の周囲であれば特に配置を限定されないが、本実施形態に示すように筐体２の前面２ａに沿って延びるとより望ましい。これにより、筐体２の前方に配されるマスク１００が後方に折れ曲がった際に突出部２２上に配され、吐出口１９、２０の閉塞を確実に防止するこができる。
【００５５】
また、顔面に装着されたマスク１００を上下方向に位置合わせする際に、マスク１００の内面と筐体２の前面２ａとが摺動する。この時、突出部２２の先端部２２ａの前面２ａ側が曲面に形成されているため、マスク１００と筐体２との引っ掛かりを防止して容易にマスク１００の位置合わせすることができる。
【００５６】
使用によりマスク１００の劣化や損傷が生じると、マスク１００から取り外したイオン発生装置１を取り外し、新しいマスク１００にイオン発生装置１を取り付ける。このため、ユーザの経済的な負担が軽減される。
【００５７】
本実施形態によると、ユーザの顔面に装着されるマスク１００により覆われる筐体２は吐出口１９、２０の周囲から突出する突出部２２を備える。このため、使い捨てマスク等の市販の安価なマスク１００にイオン発生装置１を装着してマスク１００内にイオンを放出することができる。このため、使用により劣化したマスク１００を交換でき、ユーザの経済的な負担を軽減してマスク１００内の殺菌や消臭を行うことができる。
【００５８】
また、突出部２２によりマスク１００が吐出口１９、２０全体を覆うことを防止し、イオンをユーザの面前に確実に供給することができる。従って、イオンによる殺菌効果や消臭効果の低下を防止することができる。
【００５９】
また、突出部２２の先端部２２ａの前面２ａ側を曲面に形成したため、マスク１００の内面がイオン発生装置１に引っかかることを防止することができ、マスク１００の位置合わせを容易に行うことができる。
【００６０】
また、吐出口１９、２０が筐体２の前面２ａに隣接した周面に形成され、突出部２２が筐体２の前面２ａに沿って配されるため、前面２ａを覆うマスク１００による吐出口１９、２０の閉塞を確実に防止することができる。
【００６１】
また、筐体２がユーザの鼻に対して一側方に配してイオン発生素子１７を収納する素子収納部材４０と、他側方に配してバッテリ１４を収納するバッテリ収納部材３０とを連結して形成され、筐体２をマスク１００に装着する装着部１０を筐体２の前面２ａに設けている。これにより、使い捨てマスク等の市販の安価なマスク１００に取り付けてマスク１００の内部にイオンを放出するイオン発生装置１を容易に実現することができる。
【００６２】
また、バッテリ収納部材３０内に充填した樹脂２６内にバッテリ１４を埋設したため、バッテリ収納部材３０の内部を含む重量と素子収納部材４０の内部を含む重量とをバランスさせることができる。これにより、イオン発生装置１の使用性を向上することができる。また、樹脂２６によってバッテリ１４の放熱性を向上できるとともに、バッテリ１４の損傷時の漏電等を防止することができる。
【００６３】
また、筐体２の前面２ａのユーザ側から見て右側にスイッチ８を設けたため、スイッチ８がユーザの顔面に当接することを防止し、イオン発生装置１の装着時の不快感を低下させることができる。また、右利きのユーザによって容易にイオン発生装置１の電源のＯＮ、ＯＦＦ操作を行うことができる。
【００６４】
また、カバー部材５０は軟質な樹脂部材から成っているため、ユーザの顔面の形状に沿って変形する。これにより、イオン発生装置１の装着感を向上することができる。ユーザへの当接の負担を軽減するとともに、ユーザの顔面とカバー部材５０とが略密着するため、イオンの流出を低減することができ、イオンによる殺菌効果や消臭効果の低減を防止することができる。
【００６５】
また、イオン発生装置１の駆動時に所定の操作により所定時間点灯した後に消灯するＬＥＤ６を備えたため、イオン発生装置１の駆動状態を容易に判別することができるとともに、ＬＥＤ６の光がユーザの目に届くことにより煩わしさを回避することができる。
【００６６】
＜第２実施形態＞
次に、図１０は第２実施形態のイオン発生装置１の正面図を示している。また、図１１はイオン発生装置１の前述の図９と同じ縦断面図（図３のＡ−Ａ断面図）を示している。説明の便宜上、前述の図１〜図９に示す第１実施形態と同様の部分には同一の符号を付している。本実施形態は第１実施形態に対して突出部２２及び吐出口１９、２０の配置が異なっている。その他の部分は第１実施形態と同様である。
【００６７】
素子収納部材４０はカバー部材５０に設けた収納部５２に開口部５２ａを介して圧入され、表面ケース４０ａ及び裏面ケース４０ｂからなる。表面ケース４０ａと裏面ケース４０ｂとは係合し、イオン発生素子１７を収納する。
【００６８】
イオン発生素子１７は裏面ケース４０ｂに設置され、イオン発生素子１７の放電電極１７ａ、１７ｂ（図７参照）は前方を向くように配されている。放電電極１７ａ、１７ｂの前方には上に凸の曲面からなる案内部２３が設けられている。
【００６９】
筐体２の前面２ａには吐出口１９、２０及び突出部２２が設けられている。吐出口１９、２０はカバー部材５０の収納部５２から前方に延びて貫通孔５２ｂにより形成される。貫通孔５２ｂは表面ケース４０ａの下部に設けた貫通孔４０ｃに対向して配される。
【００７０】
突出部２２は左右方向に延びて形成され、カバー部材５０の表面から突出して吐出口１９、２０の上部に設けられている。また突出部２２の先端部２２ａは曲面（上下面が曲面）により形成されている。これにより、突出部２２は吐出口１９、２０の周方向の一部を開放して形成されている。
【００７１】
なお、突出部２２は吐出口１９、２０の上下に設けてもよく、上部もしくは下部の一方のみに設けられていてもよい。なお、突出部２２が吐出口１９、２０の上部に設けられていると、イオン発生装置１をマスク１００に取り付けられた際、吐出口１９、２０の下部及び両側部が開放される。これにより、顔面側に多くイオンを流入させることができるのでより好ましい。
【００７２】
また、突出部２２は吐出口１９から距離ｄだけ前方に突出している。これにより、イオン発生装置１の前方に配されるマスク１００による吐出口１９、２０の閉塞を防止することができる。
【００７３】
本実施形態においても、第１実施形態と同様の効果を奏することができる。
【００７４】
＜第３実施形態＞
次に、第３実施形態のイオン発生装置１について説明する。説明の便宜上、前述の図１〜図９に示す第１実施形態と同様の部分には同一の符号を付している。図１２は第３実施形態のイオン発生装置１の左側面図を示している。また、図１３はイオン発生装置１の装着状態を示している。
【００７５】
イオン発生装置１は筐体６０及び装着部７０を有している。筐体６０内にはイオンを発生するイオン発生素子１７（図１６参照）が配されている。
【００７６】
装着部７０は接続部７５、バッテリ収納部９０および保持部８０を有している。接続部７５は筐体６０から延びて保持部８０に接続し、ユーザが所望する屈曲した状態を保持できるように形成されている。また接続部７５は伸縮性を有してもよい。保持部８０はＵ字状に形成され、可撓性を有してユーザの片耳に保持することができる。
【００７７】
接続部７５を屈曲して筐体６０をユーザの面前に配し、マスク１００が装着される。これにより、筐体６０は前面６０ａをマスク１００に覆われ、マスク１００と顔面との間の空間内に配置されている。
【００７８】
図１４、図１５はイオン発生装置１の正面図、右側面図を示している。バッテリ収納部９０はバッテリ１４、駆動回路ユニット１３（図７参照）を収納している。バッテリ収納部９０の側面にはイオン発生装置１の電源のＯＮ、ＯＦＦを行うスイッチ９１（図１２参照）が配されている。
【００７９】
筐体６０の側面６０ｂには吐出口６２、６３が開口している。図１６は図１５のＦ−Ｆ断面図を示している。筐体６０は硬質部材から成る表面ケース６１ａと裏面ケース６１ｂとによって形成されている。裏面ケース６１ｂにはイオン発生素子１７が設置され、イオン発生素子１７には放電電極１７ａ、１７ｂが表面ケース６１ａに対向して配されている。
【００８０】
放電電極１７ａ、１７ｂの前方には案内部６６が設けられている。案内部６６は前方に凸の曲面に形成されている。これにより、放電電極１７ａ、１７ｂで発生するイオンを吐出口６２、６３へ容易に導くことができる。
【００８１】
吐出口６２と吐出口６３との間には仕切部６４（図１５参照）が設けられている。仕切部６４により、吐出口６２、６３から放出されるプラスイオンとマイナスイオンとの衝突による消滅を低減することができる。
【００８２】
吐出口６２、６３の前方には突出部６５が設けられている。突出部６５は吐出口６２から距離ｄだけ側方に突出し、筐体６０の前面６０ａに沿って上下方向に延びて形成されている。突出部６５の先端部６５ａは前面６０ａ側を曲面に形成している。
【００８３】
上記構成のイオン発生装置１において、ユーザは装着部７０を用いて片耳に固定（図１３参照）し、マスク１００を装着する。マスク１００は一般で市販されている安価な使い捨てのマスク１００でよい。
【００８４】
ユーザがスイッチ９１を操作してイオン発生装置１が駆動されると、放電電極１７ａ、１７ｂにより生成されるプラスイオン及びマイナスイオンが吐出口６２、６３を介して側方に放出される。これにより、マスク１００内はプラスイオン及びマイナスイオンが拡散して除菌や臭いの除去を行うことができる。
【００８５】
この時、吐出口６２、６３の周囲には突出部６５が突出するため、マスク１００による吐出口６２、６３の閉塞を防止することができる。これにより、イオンをユーザの面前に確実に供給することができる。
【００８６】
突出部６５は吐出口６２、６３の周囲であれば特に配置を限定されないが、本実施形態に示すように筐体６０の前面６０ａに沿って延びるとより望ましい。これにより、前面６０ａを覆うマスク１００による吐出口６２、６３の閉塞を確実に防止することができる。
【００８７】
本実施形態によると、第１実施形態と同様の効果を得ることができる。また、筐体６０から延出されるとともにユーザの耳に掛けて筐体６０を顔面に装着する装着部７０を設けている。これにより、使い捨てマスク等の市販の安価なマスク１００を用いてマスク１００の内部にイオンを放出するイオン発生装置１を容易に実現することができる。
【００８８】
また、突出部６５が筐体６０の前面６０ａに沿って配されるため、前面６０ａを覆うマスク１００による吐出口６２、６３の閉塞を確実に防止することができる。
【００８９】
第１〜第３実施形態において、イオン発生装置１がマスク１００に覆われるが、ネックウォーマー等により覆われてもよい。即ち、イオン発生装置１がユーザの顔面に配されるマスク状部材に覆われている場合に、同様の効果を得ることができる。
【００９０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【００９１】
本発明によると、マスク状部材等によって覆われるイオン発生装置に利用することができる。
【符号の説明】
【００９２】
１      イオン発生装置
２      筐体
２ａ    前面
２ｂ    後面
２ｃ    凹部
２ｄ    底面
５      充電部
５ａ    挿入口
６      ＬＥＤ（発光部）
８      スイッチ
９      スイッチ
１０    装着部
１３    駆動回路ユニット
１４    バッテリ
１７    イオン発生素子
１７ａ、１７b  放電電極
１９    吐出口
２０    吐出口
２１    仕切部
２２    突出部
２２ａ  先端部
２３    案内部
２４    ケーブル
２５    屈曲部
２６    樹脂
３０    バッテリ収納部材
３０ａ  表面ケース
３０ｂ  裏面ケース
４０    素子収納部材
４０ａ  表面ケース
４０ｂ  裏面ケース
４０ｃ  貫通穴
５０    カバー部材
５０ａ  穴部
５０ｂ  穴部
５１    収納部
５１ａ  開口部
５２    収納部
５２ａ  開口部
５２ｂ  貫通穴
５３    連通部
６０    筐体
６０ａ  前面
６０ｂ  側面
６１    素子収納部
６１ａ  表面ケース
６１ｂ  裏面ケース
６２    吐出口
６３    吐出口
６４    仕切部
６５    突出部
６６    案内部
７０    装着部
７５    接続部
８０    保持部
９０    バッテリ収納部
９１    スイッチ
１００    マスク
１００ａ  耳かけ部
【図１】
2015035341.tif 000003
【図２】
2015035341.tif 000004
【図３】
2015035341.tif 000005
【図４】
2015035341.tif 000006
【図５】
2015035341.tif 000007
【図６】
2015035341.tif 000008
【図７】
2015035341.tif 000009
【図８】
2015035341.tif 000010
【図９】
2015035341.tif 000011
【図１０】
2015035341.tif 000012
【図１１】
2015035341.tif 000013
【図１２】
2015035341.tif 000014
【図１３】
2015035341.tif 000015
【図１４】
2015035341.tif 000016
【図１５】
2015035341.tif 000017
【図１６】
2015035341.tif 000018